(57)【要約】【課題】バッテリの体積と重さを平均的にそれぞれの取り付け製品に配分し、情報製品や通信製品や民生用電子製品などの形式の開発の多様化の進めることを促進できる、優れるバッテリ・モジュール製品を提供する。【解決手段】情報製品や通信製品や民生用電子製品などのバッテリを環状帯式バッテリ・モジュールになるように仕切って製造し、前記それぞれの製品に必要とされるバッテリの全体占用面積と厚さを効果的に縮減しつつ、高効率放電と高エネルギー密度の製品設計目標を実現できる、手首装着環状帯式バッテリ・モジュールを提供する。【選択図】　　図１
0003097981.tif 000002
【実用新案登録請求の範囲】
【請求項１】
情報製品や通信製品や民生用電子製品などのバッテリを環状帯式バッテリ・モジュールになるように仕切って製造し、前記それぞれの製品に必要とされるバッテリの全体占用面積と厚さを効果的に縮減しつつ、高効率放電と高エネルギー密度の製品設計目標を実現できることを特徴とする、手首装着環状帯式バッテリ・モジュール。
【考案の詳細な説明】
【０００１】
【考案の属する技術分野】
本考案は、手首装着環状帯式バッテリ・モジュールに係わり、特に情報製品や通信製品や民生用電子製品などに取り付けられるバッテリを提供し、仕切り製造の方式によって帯状のバッテリ・モジュールを作り出し、バッテリの体積を均一的に帯状のバッテリ・ユニットに配分し、且つ前記製品に応用されるバッテリの全体の占用厚さを効果的に縮減でき、且つ高放電率と高エネルギー密度を取得できる製品の設計に関するものである。
【０００２】
【従来の技術およびその課題】
情報製品や通信製品や民生用電子製品などはコードレス及びポータブル化が進められる現在では、ほとんどすべてのポータブル小型電気製品の電気エネルギーーによる駆動がバッテリによって供給されるようになっており、新しいバッテリ・テクニックの整合により、それぞれのタイプの高機能のバッテリが続出しており、且つそれらの体積がさらに小型化されると共に、さらに軽量化し、且つエネルギー密度をもっと高くすることが既に研究開発のポイントとなっている。
【０００３】
目前では、情報製品や通信製品や民生用電子製品などに利用されるバッテリは、ニッケル・カドミウムやニッケル・水素やリチウムイオンなどのタイプであり、これらのバッテリの体積・エネルギー密度（ｗｈ／ｉ）または重量・エネルギー密度（ｗｈ／ｋｇ）が電圧と正比例と成し、多機能性及び高機能性を要求するマーケットの趨勢と科学技術の要求の元で、時々高電圧のバッテリが求められ、しかしながら、それらの要求に応じるために、高電圧バッテリがその体積やエネルギー密度や重さなどが相対的に増加されてくる。
【０００４】
【課題を解決するための手段】
本考案は、前記に掲げられた従来のバッテリの既存の欠点に鑑みて改良を実施し、環状帯式のバッテリ・モジュールによってバッテリの体積と重さを平均的にそれぞれの取り付け製品に配分し、情報製品や通信製品や民生用電子製品など（例えば携帯電話やポータブル・オーディオ・プレイヤーや多機能腕時計など）の形式の開発の多様化を促進できる、優れたバッテリ製品を提供する。
【０００５】
本考案は、情報製品や通信製品や民生用電子製品などのバッテリを環状帯式バッテリ・モジュールになるように仕切って製造し、前記それぞれの製品に必要とされるバッテリの全体占用面積と厚さを効果的に縮減しつつ、高効率放電と高エネルギー密度の製品設計目標を実現できる、手首装着環状帯式バッテリ・モジュールを提供することをその主要な目的とする。本考案による場合、環状帯式のバッテリの組立構造を提供することによって、それぞれのタイプの電子製品が腕時計の帯のように手首につけられるようになり、そのため、電子製品の開発がバッテリの厚さの増加によって窮屈に制限されることをなくすことができ、反対に、帯状バッテリの開発使用によりそれぞれの電子製品の設計空間を実質的に巧みにすることができ、多くの設計可能性を提供できる。
【０００６】
以下に添付図面を参照しながら本考案の好適な実施の形態を詳細かつ具体的に説明するが、それらの詳細な説明による具体的な構造は単に本考案の実施可能な一実施例に過ぎず、本考案の主張範囲を狭義的に定義するものではないことは言うまでもない。
【０００７】
【考案の実施の形態】
本考案による手首装着環状帯式バッテリ・モジュールは、図１に示すように、主に製品の構成に合せて複数個の体積が薄型であるバッテリ・ユニット（１）を制作し、それぞれのバッテリ・ユニット（１）は予め結合される構成空間内に収納でき、ここでは製品として腕時計（２）を採用するが、手首装着環状帯状部材や係止構造を有する構造などに設定することもできることが言うまでもない。組立時、複数個のバッテリ・ユニット（１）をそれぞれの段の手首装着環状帯（３）の内部空間に収納し、または手首装着環状帯の先端部または末端部の係止部材（６，７）の内部に収納してもよい。
【０００８】
また、本考案のバッテリ・ユニット（１）も図２に示すような組立方式を採用でき、結合しようとする構成空間によってバッテリ・ユニット（１）の収納数を決め、ここで例として男性用腕時計（４）を採用し、組立時に、それぞれの段の大きい空間を有する環状帯（５）内に複数個のバッテリ・ユニット（１）を収納し（ここでは四個を充填するものを実施例とする）、または複数個のバッテリ・ユニット（１）を手首装着環状帯の先端部と末端部における係止部材（６，７）の内部に収納する。
【０００９】
本考案の体積が軽薄短小な形態のバッテリ・ユニット（１）も携帯電話やデジタルカメラなどの製品に組立てられ、電気エネルギーの供給源として利用できる。
【００１０】
【考案の効果】
本考案による手首装着環状帯式バッテリ・モジュールによる場合、実際的に環状帯式アンテナや携帯電話やデジタルカメラなどに合せて使用される場合、少なくとも下記のような優れる点を有する。
一、元の携帯電話やデジタルカメラに取り付けられるバッテリの有する快速的チャージ機能や、高効率の放電機能や高エネルギー密度や長寿命などの優れる点を保有できる。
二、合せて使用される環状帯式アンテナや携帯電話やデジタルカメラなどの製品の厚さを縮減でき、具体的にスポーツ用腕時計や血圧器やハート・ビット計数器などに合せて使用される環状帯式アンテナの機能を向上でき、且つ一般的な携帯電話やデジタルカメラなどの製品の体積を小型化、且つ巧みに設計することができるので、従来にない好ましい考案を提供できる。
【図面の簡単な説明】
【図１】本考案の手首装着環状帯式バッテリ・モジュールをばらばらに手首装着環状帯に収納される場合を示す説明図である。
【図２】本考案の手首装着環状帯式バッテリ・モジュールをばらばらに手首装着環状帯に収納される場合の他の実施の形態を示す説明図である。
【符号の説明】
１　　　バッテリ・ユニット
２　　　腕時計
３　　　手首装着環状帯
４　　　腕時計
５　　　手首装着環状帯
６，７　係止部材
【図１】
0003097981.tif 000003
【図２】
0003097981.tif 000004
【手続補正書】
【提出日】平成15年8月1日(2003.8.1)
【手続補正１】
【補正対象書類名】明細書
【補正対象項目名】実用新案登録請求の範囲
【補正方法】変更
【補正の内容】
【実用新案登録請求の範囲】
【請求項１】
情報製品や通信製品や民生用電子製品などのバッテリを構成するバッテリ・モジュールであって、手首装着環状帯のそれぞれの段内並びに、該段の端部の係止部材内にも配設でき、それぞれが通電するように連結した複数の薄型バッテリ・ユニットより構成することを特徴とする、
手首装着環状帯式バッテリ・モジュール。